【手続補正書】
【提出日】平成24年9月11日(2012.9.11)
【手続補正１】
【補正対象書類名】明細書
【補正対象項目名】０００６
【補正方法】変更
【補正の内容】
【０００６】
上記目的を達成するため、本発明の第１の観点に係る空気圧縮機は、
圧縮空気を生成する圧縮装置と、
前記圧縮装置を駆動する電動モータと、
前記圧縮装置で生成された圧縮空気を貯留する空気タンクと、
前記空気タンクから前記圧縮空気を取り出すための取り出し口である複数のカプラと、
前記空気タンク内の圧力を検出する圧力センサと、
前記複数のカプラのうち、前記空気タンクから前記圧縮空気が供給されている空気工具とエアホースを介して接続されているカプラの個数を取得する使用カプラ取得部と、
前記空気工具が消費する前記圧縮空気の消費率を取得する空気消費率取得部と、
前記圧力センサにより検出された前記空気タンク内の圧力に基づいて、前記電動モータを制御する制御回路部と、を備え、
前記制御回路部は、カプラの個数と、圧縮空気の消費率と、停止圧力と、を対応付けて記憶する記憶部を備え、前記使用カプラ取得部により取得された前記カプラの個数と、前記空気消費率取得部が取得した前記消費率とに対応する前記停止圧力を前記記憶部から取得し、前記圧力センサにより検出された前記空気タンク内の圧力が取得された前記停止圧力よりも高い場合に、前記電動モータの運転を停止させることを特徴とする。
【手続補正２】
【補正対象書類名】明細書
【補正対象項目名】０００９
【補正方法】変更
【補正の内容】
【０００９】
前記制御回路部は、カプラの個数と、圧縮空気の消費率と、停止圧力と、該停止圧力よりも低い再起動圧力と、を対応付けて記憶する記憶部を備え、前記使用カプラ取得部により取得された前記カプラの個数と、前記空気消費率取得部が取得した前記消費率とに対応する前記停止圧力と前記再起動圧力を前記記憶部から取得し、前記圧力センサにより検出された前記空気タンク内の圧力が取得された前記停止圧力よりも高い場合に、前記電動モータの運転を停止させ、前記圧力センサにより検出された前記空気タンク内の圧力が取得された前記再起動圧力よりも低い場合に、前記電動モータの運転を開始させてもよい。
上記目的を達成するため、本発明の第２の観点に係る空気圧縮機は、
圧縮空気を生成する圧縮装置と、
前記圧縮装置を駆動する電動モータと、
前記圧縮装置で生成された圧縮空気を貯留する空気タンクと、
前記空気タンクから前記圧縮空気を取り出すための取り出し口である複数のカプラと、
前記空気タンク内の圧力を検出する圧力センサと、
前記複数のカプラのうち、前記空気タンクから前記圧縮空気が供給されている空気工具と接続されているカプラの個数を取得する使用カプラ取得部と、
前記圧力センサにより検出された前記空気タンク内の圧力に基づいて、前記電動モータを制御する制御回路部と、を備え、
前記制御回路部は、前記使用カプラ取得部により取得された前記カプラの個数に応じて、前記電動モータを再起動又は停止する前記空気タンク内の圧力条件を設定することを特徴とする。
前記使用カプラ取得部により取得された前記カプラの個数が多いときの設定再起動圧力が、前記使用カプラ取得部により取得された前記カプラの個数が少ないときよりも高くてもよい。
前記使用カプラ取得部により取得された前記カプラの個数が多いときの設定停止圧力が、前記使用カプラ取得部により取得された前記カプラの個数が少ないときよりも高くてもよい。
前記複数のカプラには、常圧の圧縮空気を用いる空気工具と接続される常圧用カプラと、前記常圧より高い圧力である高圧の圧縮空気を用いる空気工具と接続される高圧用カプラが含まれており、
前記使用カプラ取得部は前記空気工具と接続されている前記常圧用カプラ及び前記高圧用カプラの個数を取得し、
前記制御回路部は、前記使用カプラ取得部により取得された前記常圧用カプラ及び前記高圧用カプラの個数に応じて、前記電動モータを再起動又は停止する前記空気タンク内の圧力条件を設定してもよい。
前記高圧用カプラに空気工具が接続されているときの設定再起動圧力が、同数の前記常圧用カプラに空気工具が接続されているときよりも高くてもよい。
前記高圧用カプラに空気工具が接続されているときの設定停止圧力が、同数の前記常圧用カプラに空気工具が接続されているときよりも高くてもよい。
【手続補正３】
【補正対象書類名】特許請求の範囲
【補正対象項目名】全文
【補正方法】変更
【補正の内容】
【特許請求の範囲】
【請求項１】
圧縮空気を生成する圧縮装置と、
前記圧縮装置を駆動する電動モータと、
前記圧縮装置で生成された圧縮空気を貯留する空気タンクと、
前記空気タンクから前記圧縮空気を取り出すための取り出し口である複数のカプラと、
前記空気タンク内の圧力を検出する圧力センサと、
前記複数のカプラのうち、前記空気タンクから前記圧縮空気が供給されている空気工具とエアホースを介して接続されているカプラの個数を取得する使用カプラ取得部と、
前記空気工具が消費する前記圧縮空気の消費率を取得する空気消費率取得部と、
前記圧力センサにより検出された前記空気タンク内の圧力に基づいて、前記電動モータを制御する制御回路部と、を備え、
前記制御回路部は、カプラの個数と、圧縮空気の消費率と、停止圧力と、を対応付けて記憶する記憶部を備え、前記使用カプラ取得部により取得された前記カプラの個数と、前記空気消費率取得部が取得した前記消費率とに対応する前記停止圧力を前記記憶部から取得し、前記圧力センサにより検出された前記空気タンク内の圧力が取得された前記停止圧力よりも高い場合に、前記電動モータの運転を停止させる、
ことを特徴とする空気圧縮機。
【請求項２】
前記空気消費率取得部は、前記圧力センサにより検出された前記空気タンク内の圧力の時間変化率に基づいて、前記消費率を取得する、
ことを特徴とする請求項１に記載の空気圧縮機。
【請求項３】
前記空気消費率取得部は、前記空気工具が送信した、前記空気工具が消費する空気消費量を示す信号を受信する受信部を備え、前記受信部が受信した前記空気消費量に基づいて、前記空気消費率を取得する、
ことを特徴とする請求項１に記載の空気圧縮機。
【請求項４】
前記制御回路部は、カプラの個数と、圧縮空気の消費率と、停止圧力と、該停止圧力よりも低い再起動圧力と、を対応付けて記憶する記憶部を備え、前記使用カプラ取得部により取得された前記カプラの個数と、前記空気消費率取得部が取得した前記消費率とに対応する前記停止圧力と前記再起動圧力を前記記憶部から取得し、前記圧力センサにより検出された前記空気タンク内の圧力が取得された前記停止圧力よりも高い場合に、前記電動モータの運転を停止させ、前記圧力センサにより検出された前記空気タンク内の圧力が取得された前記再起動圧力よりも低い場合に、前記電動モータの運転を開始させる、
ことを特徴とする請求項１乃至３のいずれか１項に記載の空気圧縮機。
【請求項５】
圧縮空気を生成する圧縮装置と、
前記圧縮装置を駆動する電動モータと、
前記圧縮装置で生成された圧縮空気を貯留する空気タンクと、
前記空気タンクから前記圧縮空気を取り出すための取り出し口である複数のカプラと、
前記空気タンク内の圧力を検出する圧力センサと、
前記複数のカプラのうち、前記空気タンクから前記圧縮空気が供給されている空気工具と接続されているカプラの個数を取得する使用カプラ取得部と、
前記圧力センサにより検出された前記空気タンク内の圧力に基づいて、前記電動モータを制御する制御回路部と、を備え、
前記制御回路部は、前記使用カプラ取得部により取得された前記カプラの個数に応じて、前記電動モータを再起動又は停止する前記空気タンク内の圧力条件を設定する、
ことを特徴とする空気圧縮機。
【請求項６】
前記使用カプラ取得部により取得された前記カプラの個数が多いときの設定再起動圧力が、前記使用カプラ取得部により取得された前記カプラの個数が少ないときよりも高い、
ことを特徴とする請求項５に記載の空気圧縮機。
【請求項７】
前記使用カプラ取得部により取得された前記カプラの個数が多いときの設定停止圧力が、前記使用カプラ取得部により取得された前記カプラの個数が少ないときよりも高い、
ことを特徴とする請求項５又は６に記載の空気圧縮機。
【請求項８】
前記複数のカプラには、常圧の圧縮空気を用いる空気工具と接続される常圧用カプラと、前記常圧より高い圧力である高圧の圧縮空気を用いる空気工具と接続される高圧用カプラが含まれており、
前記使用カプラ取得部は前記空気工具と接続されている前記常圧用カプラ及び前記高圧用カプラの個数を取得し、
前記制御回路部は、前記使用カプラ取得部により取得された前記常圧用カプラ及び前記高圧用カプラの個数に応じて、前記電動モータを再起動又は停止する前記空気タンク内の圧力条件を設定する、
ことを特徴とする請求項７に記載の空気圧縮機。
【請求項９】
前記高圧用カプラに空気工具が接続されているときの設定再起動圧力が、同数の前記常圧用カプラに空気工具が接続されているときよりも高い、
ことを特徴とする請求項８に記載の空気圧縮機。
【請求項１０】
前記高圧用カプラに空気工具が接続されているときの設定停止圧力が、同数の前記常圧用カプラに空気工具が接続されているときよりも高い、
ことを特徴とする請求項８又は９に記載の空気圧縮機。